【事件の表示】
　特許第３３４２１９８号「フルカラー画像形成装置及びフルカラー画像形成方法」の請求項１ないし６に係る特許に対する特許異議の申立てについて、次のとおり決定する。
【結　論】
　訂正を認める。
　特許第３３４２１９８号の請求項１ないし４に係る特許を維持する。
【理　由】
１．手続きの経緯
　本件特許第３３４２１９８号の請求項１ないし６に係る発明は、平成６年９月２９日に出願され、平成１４年８月２３日にその特許の設定登録がなされ、その後滝沢りつ子（以下、「申立人１」という。）より請求項１ないし６に係る特許について、上坂陽子（以下、「申立人２」という。）より請求項１、２、４及び５に係る特許について特許異議の申立てがなされ、取消理由通知がなされ、意見書及び訂正請求書が提出されたものである。
　
２．訂正の適否についての判断
（１）訂正の内容
　別紙「訂正の内容」参照
　
（２）訂正の目的の適否、新規事項の有無及び拡張変更の存否
　訂正事項ａは、訂正前の請求項１、４に、それぞれ訂正前の請求項３、６で規定していた限定事項を取り込むと共に、カラー領域と白黒領域に使用するトナーを明確にし、さらに、無彩色トナーのワックスの含有量を、「光沢度を抑えた見やすい白黒画像が得られるように」と限定し、請求項３、６を削除し、請求項の削除に合わせて訂正前の請求項４、５の項番号を繰り上げ請求項３、４とするものであるから、特許請求の範囲の減縮、明りょうでない記載の釈明を目的とする訂正に該当する。
　訂正事項ｂないしｇは、訂正事項ａによる訂正の結果生じた、請求項１ないし４に係る発明と、発明の詳細な説明における記載との不整合を正すための訂正であるから、明りょうでない記載の釈明を目的とする訂正に該当する。
　そして、訂正事項ａないしｇは、いずれも、願書に添付した明細書の記載の範囲内においてなされたものであって、かつ実質的に特許請求の範囲を拡張又は変更するものではない。
　
（３）むすび
　以上のとおりであるから、上記訂正請求は、特許法等の一部を改正する法律（平成６年法律１１６号）附則第６条第１項の規定によりなお従前の例によるとされる、特許法第１２０条の４第３項において準用する平成６年法律第１１６号による改正前の特許法第１２６条第１項ただし書き及び第２項の規定に適合するので、当該訂正を認める。
　
３．特許異議の申立てについての判断
（１）本件の請求項１ないし４に係る発明
　上記２．で示したように訂正が認められるから、本件の請求項１ないし４に係る発明は、訂正明細書の特許請求の範囲の請求項１ないし４に記載された事項により特定される次のとおりのものである。
「【請求項１】　有彩色トナーとしてマゼンタトナー，シアントナー，イエロートナーを用い、無彩色トナーとしてブラックトナーを用いるフルカラー画像形成装置であって、
　カラー領域の無彩色領域を、前記無彩色トナーと、少なくとも１色以上の前記有彩色トナーとによって画像を形成し、
　白黒領域を前記無彩色トナーのみによって画像を形成し、
　上記有彩色トナーが、ワックス含有トナーであり、
　上記無彩色トナーが、
　　ｉ）ワックスを含有しないトナー；又は、
　　ｉｉ）バインダー樹脂１００重量部当りのワックスの含有量が、光沢度を抑えた見やすい白黒画像が得られるように、上記有彩色トナーに比べて少ないトナー；
であることを特徴とするフルカラー画像形成装置。
　【請求項２】　前記無彩色トナーの溶融温度が、前記有彩色トナーの溶融温度より高いことを特徴とする請求項１に記載のフルカラー画像形成装置。
　【請求項３】　有彩色トナーとしてマゼンタトナー，シアントナー，イエロートナーを用い、無彩色トナーとしてブラックトナーを用いてフルカラーの画像形成を行う画像形成方法であって、
　カラー領域の無彩色領域を、前記無彩色トナーと、少なくとも１色以上の前記有彩色トナーとによって画像を形成し、
　白黒領域を前記無彩色トナーのみによって画像を形成し、
　上記有彩色トナ−が、ワックス含有トナーであり、
　上記無彩色トナーが、
　　ｉ）ワックスを含有しないトナー；又は、
　　ｉｉ）バインダー樹脂１００重量部当りのワックスの含有量が、光沢度を抑えた見やすい白黒画像が得られるように、上記有彩色トナーに比べて少ないトナー；
であることを特徴とするフルカラー画像形成方法。
　【請求項４】　前記無彩色トナーの溶融温度が、前記有彩色トナーの溶融温度より高いことを特徴とする請求項３に記載のフルカラー画像形成方法。」
　
（２）刊行物の記載事項
　刊行物１（特開平５−１１９５０８号公報、申立人２の提出した甲第１号証）には、【請求項１】、段落【０００１】、【００１８】、【００２７】〜【００３２】、【００３５】、【００３６】の記載によれば、フルカラー画像形成装置及びフルカラー画像形成方法に用いるトナーであって、有彩色トナー（刊行物１においては「カラートナー」）としてマゼンタトナー，シアントナー，イエロートナーを用い、無彩色トナーとしてブラックトナーを用い、マゼンタトナー，シアントナー，イエロートナーをワックス含有トナーとし、ブラックトナーをワックスを含有しないトナーとすることが記載されている。
　刊行物２（特開平５−１００４８５号公報、同甲第２号証）には、特許請求の範囲、段落【００３４】、【００３９】及び実施例１〜６の記載によれば、マゼンタトナー（刊行物２におけるレッド着色剤含有トナー），シアントナー（同ブルー着色剤含有トナー）をワックス含有トナーとし、ブラックトナーをマゼンタトナー，シアントナーに比べ、バインダー樹脂１００重量部当りのワックスの含有量が少ないトナーとすることが記載され、これらのトナーをフルカラー画像形成装置に使用することも記載されている。
　刊行物３（特開平１−１４２７４０号公報、同甲第３号証）には、特許請求の範囲、３頁右上欄１７行〜左下欄３行、及び３頁右下欄１９行〜４頁左上欄２行、４頁右上欄１３行〜左下欄及び図面の記載によれば、有彩色トナー（刊行物３においては「色トナー」）としてマゼンタトナー，シアントナー，イエロートナーを用い、無彩色トナーとしてブラックトナー（同「黒トナー」）を用い、ブラックトナーの溶融粘度を、他の有彩色トナーの同一粘度を示すときの溶融温度より高く設定し、無彩色領域を、ブラックトナーと、少なくとも１色以上の有彩色トナーとによって画像を形成するフルカラー画像形成装置が記載されており、ブラックトナーの溶融温度を他の有彩色トナーの溶融温度より高くすることにより、黒画像の光沢および画像濃度を減少させ自然な光沢感と適度なコントラストを有し且つ解像度が低下せず良好な色再現性を有するカラー画像を形成することができることが記載されている。
　
（３）当審の判断
１）特許法第２９条について
　本件請求項１ないし４に係る発明と、上記刊行物１ないし３記載の発明を対比すると、本件請求項１ないし４に係る発明の構成である「カラー領域の無彩色領域を、無彩色トナーと、少なくとも１色以上の前記有彩色トナーとによって画像を形成し、白黒領域を無彩色トナーのみによって画像を形成」については、刊行物１ないし３記載のいずれの発明にも開示されていない。
　すなわち、刊行物１には、「有彩色トナーとしてマゼンタトナー，シアントナー，イエロートナーを用い、無彩色トナーとしてブラックトナーを用い、上記有彩色トナーが、ワックス含有トナーであり、上記無彩色トナーが、ワックスを含有しないトナーであるフルカラー画像形成装置又はフルカラー画像形成方法」の発明が記載されていると認められるが、カラー領域の無彩色領域及び白黒領域に、どのようなトナーを用いるかは記載されていない。
　刊行物２には、「フルカラー画像形成において、マゼンタトナー，シアントナーをワックス含有トナーとし、ブラックトナーをマゼンタトナー，シアントナーに比べ、バインダー樹脂１００重量部当りのワックスの含有量が少ないトナーとすること」が記載されているものの、カラー領域の無彩色領域及び白黒領域に、どのようなトナーを用いるかは記載されていない。
　また、刊行物３には、「黒トナーの溶融粘度を、他の色トナーの同一粘度を示すときの溶融温度より高く設定し、無彩色領域を、ブラックトナーと、少なくとも１色以上の前記色トナーとによって画像を形成する」ことは記載されているものの、画像領域を、カラー領域と白黒領域に区分し、白黒領域をブラックトナーのみにより画像形成することは記載されていないし示唆もない。
　そして、本件請求項１ないし４に係る発明は、「白黒画像出力時には、光沢度を抑さえた画像を低いコストで出力し、カラー画像出力時には、一画像内に混在するカラー画像領域においては均一で光沢性の高い画像を、白黒画像領域においては光沢を抑さえた見やすい画像を両立させることができる。」（段落【００４８】）等の特許明細書記載の特有の作用効果を奏するものである。
　したがって、本件請求項１ないし４に係る発明は、刊行物１に記載された発明であるとも、刊行物１ないし３に記載された発明に基いて当業者が容易に発明をすることができたものともすることはできない。
　
２）特許法第３６条について
　申立人１、２が、本件特許明細書は記載が不備であるとする理由は、いずれも、訂正前の特許請求の範囲の請求項の記載は、無彩色トナーのワックスの含有量がどの程度であるか不明りょうであるというものであるが、上記記載不備については、訂正により解消しており、明細書の記載に不備はない。
　
４．むすび
　以上のとおりであるから、特許異議申立の理由及び証拠によっては本件請求項１ないし４に係る発明の特許を取り消すことはできない。
　また、他に本件請求項１ないし４に係る発明の特許を取り消すべき理由を発見しない。
　したがって、本件請求項１ないし４に係る発明の特許は、拒絶の査定をしなければならない特許出願に対して付与されたものと認められないから、特許法等の一部を改正する法律（平成６年法律第１１６号）附則第１４条の規定に基づく、特許法等の一部を改正する法律の施行に伴う経過措置を定める政令（平成７年政令第２０５号）第４条第２項の規定により、結論のとおり決定する。
【異議決定日】
平成１６年２月２０日（２００４．２．２０）
【訂正の要旨】
審決（決定）の【理由】欄参照。
（５４）【発明の名称】
フルカラー画像形成装置及びフルカラー画像形成方法
（５７）【特許請求の範囲】
　【請求項１】　有彩色トナーとしてマゼンタトナー，シアントナー，イエロートナーを用い、無彩色トナーとしてブラックトナーを用いるフルカラー画像形成装置
であって、
　
カラー領域の無彩色領域を、前記無彩色トナーと、少なくとも１色以上の前記有彩色トナーとによって画像を形成し、
　
白黒領域を前記無彩色トナーのみによって画像を形成し、
　上記有彩色トナー
が、
であり
　上記無彩色トナー
が、
　
ｉ）
；
、
　
ｉｉ）
、光沢度を抑えた見やすい白黒画像が得られるように、上記有彩色トナーに比べて
；
であ
　【請求項２】　前記無彩色トナーの溶融温度が、前記有彩色トナーの溶融温度より高いことを特徴とする請求項１に記載のフルカラー画像形成装置。
　【請求項
３
って
　
カラー領域の無彩色領域を、前記無彩色トナーと、少なくとも１色以上の前記有彩色トナーとによって画像を形成し、
　
白黒領域を前記無彩色トナーのみによって画像を形成し、
　上記有彩色トナー
が、
であり
　上記無彩色トナー
が、
　
ｉ）
；
、
　
ｉｉ）
、光沢度を抑えた見やすい白黒画像が得られるように、上記有彩色トナーに比べて
；
であ
　【請求項
４
３
【発明の詳細な説明】
　【０００１】
　【産業上の利用分野】
　本発明は、複写機やプリンタに用いられる電子写真方法を用いたフルカラー画像形成装置及びフルカラー画像形成方法に関するものである。
　【０００２】
　【従来の技術】
　従来、静電写真方式によるフルカラー画像形成装置は、周知のようにイエロー，マゼンタ，シアンの３色にブラックを加えた４色に色分解されたカラー画像を感光ドラム上にレーザービームで露光描画する潜像プロセス、感光ドラム上にトナーを吸着させる現像プロセス、記録用紙にトナーを転写する転写プロセス、及びトナーを定着させる定着プロセスによって、カラー画像を形成する。例えば、このようなカラー画像形成装置の応用例として、静電写真方式によるカラー複写装置は、カラー画像原稿をレッド（Ｒ），グリーン（Ｇ），ブルー（Ｂ）の３色に色分解して読み取り、ＲＧＢ各色の補色であるＣＭＹの濃度信号に色変換しトナーによる減法混色系の色信号を得る。通常、濃度信号ＹＭＣの３信号にブラック（Ｋ）信号を生成し、さらにブラックを加えることによってＣＭＹ３色混色で得る黒色と置換する下色除去が行われ、イエロー，マゼンタ，シアン，ブラックの４色のカラートナーによって画像形成される。このようなブラックトナーを加え、下色除去する効果として、一般に、
　▲１▼画像高濃度部での濃度再現性の向上
　▲２▼画像無彩色領域での色再現性の安定化
　▲３▼画像のシャープネスの向上
　▲４▼トナー消費量の軽減によるランニングコストの軽減
などが知られている。
　【０００３】
　また、カラー複写機（カラープリンタ）は色の鮮やかさなどの画像性が優先されるため、トナーの融点は白黒用のトナーより低く設定されており、定着においてオイルなどを用いることにより、よく混色された光沢のある画像としている。
　【０００４】
　一方、近年オフィスにおいて、カラー複写機やカラープリンタからは、白黒原稿とカラー原稿とが混在して複写（出力）されるようになり、カラー複写機（カラープリンタ）は従来の白黒コピー（白黒プリンタ）としての機能およびコストパフォーマンスが要求されるようになった。
　【０００５】
　白黒複写機（白黒プリンタ）は、文字や線画像の見やすさおよびコストパフォーマンスが優先されるため、定着にはオイルを使用せずに簡略な構成としたり、融点が高めのトナーを使用し、トナーを充分には溶融せずに定着することにより、光沢を抑さえた画像としている。
　【０００６】
　このような特性の異なる画像を出力するために、カラー複写機（カラープリンタ）において、ブラックトナーはカラートナーに比べコストの安い従来の白黒複写機（白黒プリンタ）用のトナーが使われる場合もある。
　【０００７】
　【発明が解決しようとする課題】
　しかしながら、上記従来例のように、３色のカラートナーと白黒用のブラックトナーを合わせて使用することによって、
　「白黒画像出力時」
　１）オイルが消費されるなどコストがかかる
　２）定着時にオイルにより熱伝導率が向上し、画像の光沢性が高くなり、文字などが見ずらくなる
　（白黒画像出力時にオイルを使用しない構成をとると装置が複雑になる上にコストアップにつながる）
　「カラー画像出力時」
　３）カラー領域、白黒領域混在の画像において、２）と同様の現象
というような欠点があった。
　【０００８】
　そこで、本発明の目的は、白黒画像出力時には、光沢度を抑さえた画像を低いコストで出力し、カラー画像出力時には、一画像内に混在するカラー画像領域においては均一で光沢性の高い画像を、白黒画像領域においては光沢を抑さえた見やすい画像を両立することができるフルカラー画像形成装置及びフルカラー画像形成方法を提供することにある。
　【０００９】
　【課題を解決するための手段及び作用】
　本発明によれば、有彩色トナーとしてマゼンタトナー，シアントナー，イエロートナーを用い、無彩色トナーとしてブラックトナーを用いるフルカラー画像形成装置又はフルカラー画像形成方法
であって、
　
カラー領域の無彩色領域を、前記無彩色トナーと、少なくとも１色以上の前記有彩色トナーとによって画像を形成し、
　
白黒領域を前記無彩色トナーのみによって画像を形成し、
　上記有彩色トナー
が、
であり
　上記無彩色トナー
が、
　
ｉ）
；
、
　
ｉｉ）
、光沢度を抑えた見やすい白黒画像が得られるように、上記有彩色トナーに比べて
；
であ
　【００１０】
　具体的には、ワックスの含有量は、有彩色トナーの場合、バインダー樹脂１００重量部に対し５〜５０重量部含有することが好ましい。無彩色トナーの場合は、バインダー樹脂１００重量部に対し、３０重量部を上限とすることが好ましい。
　【００１１】
　より好ましくは、無彩色トナーの溶融温度が、有彩色トナーのそれより高くすることにより、さらに効果があがる。
　【００１２】
　具体的には、溶融温度は、有彩色トナーは５０〜８０℃が好ましく、無彩色トナーは５５〜９５℃が好ましい。
　【００１３】
　さらに、より好ましくは、
カラー領域の
　【００１４】
　具体的には、
カラー領域の
　【００１５】
　【実施例】
　以下、図面にしたがって、本発明の実施例について、詳細に説明する。
　【００１６】
　（実施例１）
　「有彩色トナーをワックス含有トナーとし、無彩色トナーをワックスを含有しないトナー又は有彩色トナーに比べワックスの含有量が少ないトナーの場合」
　【００１７】
　有彩色トナーとしては、以下のものを用いた。
　【００１８】
　マゼンタ：数平均分子量が約３５００のポリエステル系のメインバインダー１００重量部に顔料Ｃ．Ｉ．ピグメントレッド４９を４重量部、パラフィンワックスＴ−５５０を１５重量部、荷電制御剤（以下ＣＡ剤）としてジ−ｔｅｒｔ−ブチルサリチル酸のクロム錯体を４重量部、および外添剤としてシリカ０．５重量部からなるものを用いた。
　【００１９】
　シアン　：数平均分子量が約３５００のポリエステル系のメインバインダー１００重量部にフタロシアニン顔料を５重量部、パラフィンワックスＴ−５５０を１５重量部、ＣＡ剤としてジ−ｔｅｒｔ−ブチルサリチル酸のクロム錯体を４重量部、および外添剤としてシリカ０．５重量部からなるものを用いた。
　【００２０】
　イエロー：数平均分子量が約３５００のポリエステル系のメインバインダー１００重量部に顔料Ｃ．Ｉ．ピグメントイエローを５重量部、パラフィンワックスＴ−５５０を１５重量部、ＣＡ剤としてジ−ｔｅｒｔ−ブチルサリチル酸のクロム錯体を４重量部、および外添剤としてシリカ０．５重量部からなるものを用いた。
　【００２１】
　無彩色トナーとしては、以下のものを用いた。
　【００２２】
　ブラック：数平均分子量が約３５００のポリエステル系のメインバインダー１００重量部にカーボンブラックを５重量部、ＣＡ剤としてジ−ｔｅｒｔ−ブチルサリチル酸のクロム錯体を４重量部、および外添剤としてシリカ０．５重量部からなるものを用いた。
　【００２３】
　以上４種類のトナーを周知の非磁性一成分現像装置に現像剤として用いて画出し実験を行った。
　【００２４】
　図１は、本発明を実験した実験装置の略図である。
　【００２５】
　図１において、１０は感光ドラムであり、ＯＰＣ感光ドラムを用いている。感光ドラム１０は、帯電器１１により一様に−７００Ｖに帯電し、露光１２によりまずマゼンタ（Ｍ）の潜像を形成する。なお、本実験では、反転現像方式を用いたため、露光部が画像部となる。潜像は、ドラム１０の矢印Ａ方向の回転により、現像器群２１〜２４の存在する現像部へと搬送され、Ｍの現像器である２１によって現像される（このとき現像器群は図示されていない駆動系により図の左右に適宜スライドする）。ドラム１０上に現像されたトナーは、さらに矢印Ａ方向の回転により、転写ドラム３０との最近接部である転写部へと搬送され、給紙部５１又は５２から給紙され、転写ドラム３０上に吸着している転写紙上に転写帯電器３１の電界により転写紙上に転写される。残った潜像は、前露光１３で消去されて再び帯電部へと搬送され、シアン、イエロー、ブラックの順に以上の動作を繰り返し、ブラックトナーが転写されたあと、転写紙は転写ドラム３０から分離して、搬送部６０へと搬送され簡略な構成の（オイル塗布機構の無い）定着ローラ４０により定着され、画像が最終的に形成され、排紙部７０に排紙される。
　【００２６】
　また、白黒画像を出力する際は、上記動作において、ブラックのみの現像を行う。
　【００２７】
　一方、この場合、ブラックトナーは、他の３つのトナーと異なりワックスが含有されていないため、ブラックトナーのみの画像部は、定着部においてトナーへの熱伝導が悪くなることが作用して、形成画像上での平滑性が下がり光沢度が低くなる。そのため、白黒画像のみの出力において、低コストに光沢度を抑えた見やすい白黒画像を得ることができた。また、カラー画像出力においては、カラー領域はトナーがワックスを含有しているため、熱伝導が良くなり、よく混色した光沢度の高いカラー画像が得られ、白黒領域では上記のような光沢度を抑えた見やすい白黒画像を得ることができた。
　【００２８】
　また、ブラックトナーへ他の３つのトナーに比べ少ないワックスを適度に含有させることにより、上記の結果と同様な良好な画像を得ることができた。
　【００２９】
　（実施例２）
　「実施例１のトナーにおいて、無彩色トナーの溶融温度を、有彩色トナーのそれより高くする」
　【００３０】
　有彩色トナーとしてのマゼンタ、シアン、イエローの３つのトナーは実施例１と同様のトナーを用い、無彩色トナーとしてのブラックトナーは以下のようなものを用いた。溶融温度に関しては、有彩色トナーは６５℃であり、無彩色トナーは８５℃である。
　【００３１】
　ブラック：数平均分子量が約１００００のポリエステル系のメインバインダー１００重量部にカーボンブラックを５重量部、ＣＡ剤としてジ−ｔｅｒｔ−ブチルサリチル酸のクロム錯体を４重量部、および外添剤としてシリカ０．５重量部からなるものを用いた。
　【００３２】
　実施例１における画像よりも、さらに良好な画像が得られた上に、白黒画像出力における耐久性が格段に向上した。
　【００３３】
　（実施例３）
　「カラ
ー領域の
　【００３４】
　カラ
ー領域の
　【００３５】
　この実施例においては、カラ
ー領域の
　【００３６】
　このようにして無彩色トナーに有彩色トナーに含有されたワックスを浸透させることにより、熱伝導性を向上させると同時に、さらに、無彩色トナーと無彩色トナーの間に有彩色トナーを溶かし込むことにより、その部分の光沢度を向上させた定着を行うことにより、良好なカラー画像を得ることができた。
　【００３７】
　（実施例４）
　本発明における有彩色トナーは、実施例１，２において記述したようなトナーに限られるものではなく、例えば、以下に説明するような重合トナーを用いても構わない。
　【００３８】
　重合トナーの製法として、シアントナーを作る一例について説明する。
　【００３９】
　　スチレン　　　　　　　　　　　　　　　　　　　　　　　：１８５重量部
　　ｎ−ブチルアクリレート　　　　　　　　　　　　　　　　：　１５重量部
　　環化ゴム［アルベックスＣＫ−４５０（ヘキストジャパン社製）］
　　　　　　　　　　　　　　　　　　　　　　　　　　　　　：　１０重量部
　　シアニンブルー４９２０（大日精化社製）　　　　　　　　：　２０重量部
　　パラフィンワックスＴ−５５０（日本精ろう社製）　　　　：　３２重量部
　　開始剤［Ｖ−６０１（和光純薬社製）］　　　　　　　　　：　１０重量部
　【００４０】
　本実施例においては、上記のような処方によって容器中で７０℃に加熱、溶解または分散し単量体系を調製した。また、別途イオン交換水１２００ｍｌにアミノアルキル変性コロイダルシリカを１０ｇ加え、ＨＣｌでｐＨ＝６に調整し、さらにＮａ２ＣＯ３を１ｇ加え、７０℃に加温し、ＴＫ式ホモミキサーＭ型（特殊機化工業製）を用いて１００００ｒｐｍで１５分間分散させた。
　【００４１】
　さらにＡｌ２（ＳＯ４）３を１．１ｇ加え１００００ｒｐｍで１５分間分散させ、分散媒を調製し、上記単量体組成物を投入し窒素雰囲気下で７０℃でＴＫ式ホモミキサーを用いて、１００００ｒｐｍで６０分間攪拌し、単量体組成物を造粒した。
　【００４２】
　その後パドル攪拌翼で攪拌しつつ、７０℃，１０分間で重合した。重合反応終了後、反応生成物を冷却し、ＮａＯＨを加え分散剤を溶解し、濾過、水洗、乾燥することにより平均粒径約８μｍの重合トナーを得た。
　【００４３】
　このような重合トナーを有彩色トナーに用いることにより、図２に示すように、ワックス１０１が樹脂１００の内部に内包されるような構造をとることが可能なため、カラー画像出力においても、本発明の効果を損なうことなく、耐久性を格段に向上させることができた。
　【００４４】
　また、無彩色トナーも、上記の実施例において用いたものに限られるものではない。例えば、上記の実施例において用いられたブラックトナーは、いずれも非磁性トナーであるが、これに代えて、マグネタイト等の磁性材料をトナーバインダー中に含有する磁性トナーを用いてもよい。
　【００４５】
　マグネタイトは不溶融物であるため、それを含有する磁性トナーの溶融温度は一般に高くなる。また、マグネタイトの磁性粉が定着画像上にて微規的な凹凸を形成するので、入射光を拡散反射しやすく画像表面の光沢度が著しく少なくなる。
　【００４６】
　そのため、より一層その効果が有効的に発揮される。
　【００４７】
　なお、本実施例においては、ブラックトナーとして、数平均分子量が約１００００のポリエステル系のメインバインダー１００重量部にマグネタイトを６０重量部、ＣＡ剤としてジ−ｔｅｒｔ−ブチルサリチル酸のクロム錯体を４重量部、および外添剤としてシリカ０．５重量部からなるものを用いた画出し実験を行った。
　【００４８】
　【発明の効果】
　以上、説明したように、上記有彩色トナーをワックス含有トナーとし、上記無彩色トナーをワックスを含有しないトナー又は上記有彩色トナーに比べワックスの含有量が少ないトナーとすることにより、白黒画像出力時には、光沢度を抑さえた画像を低いコストで出力し、カラー画像出力時には、一画像内に混在するカラー画像領域においては均一で光沢性の高い画像を、白黒画像領域においては光沢を抑さえた見やすい画像を両立させることができる。
【図面の簡単な説明】
　【図１】
　本発明を実施した実験装置の略断面図である。
　【図２】
　本発明の他の実施例に用いた重合トナーの構造を示すトナーの断面図である。
　【符号の説明】
　１０　感光ドラム
　１１　１次帯電器
　１２　露光
　１３　前露光
　２１〜２４　現像器
　３０　転写ドラム
　４０　定着器
　５１，５２　給紙部
　６０　搬送部
　７０　排紙部
　１００　樹脂
　１０１　ワックス